【手続補正書】
【提出日】平成16年4月30日(2004.4.30)
【手続補正１】
【補正対象書類名】明細書
【補正対象項目名】特許請求の範囲
【補正方法】変更
【補正の内容】
【特許請求の範囲】
【請求項１】
通話時、入力された音声信号を回線を介して局側と送受信する電話装置において、
通話中に当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段を備えたこと、
を特徴とする電話装置。
【請求項２】
音素情報登録モードのオン・オフ操作を行う操作手段を備えるとともに、
音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを音素情報外部記憶手段に記憶させるようにしたこと、
を特徴とする請求項１記載の電話装置。
【請求項３】
話者識別情報を記憶した話者識別情報記憶手段を備え、
音声分析・登録手段は、音素別の特徴パラメータに対応付けて話者識別情報を音素情報外部記憶手段に記憶させるようにしたこと、
を特徴とする請求項１記載の電話装置。
【請求項４】
通話時、入力された音声信号を回線を介して局側と送受信する電話装置において、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータを音素情報記憶手段から読み出し電話装置に接続された音素情報外部記憶手段に書き込む転送手段と、
を備えたことを特徴とする電話装置。
【請求項５】
音素情報登録モードのオン・オフ操作を行う操作手段を備えるとともに、
音声分析・登録手段は、音素情報登録モードがオンの場合に、通話中に当該電話装置に入力された音声信号に基づき、音素の切り出し、音素の特徴パラメータの抽出と音素の種類の判別をし、音素別の特徴パラメータを音素情報記憶手段に記憶させるようにしたこと、
を特徴とする請求項４記載の電話装置。
【請求項６】
話者識別情報を記憶した話者識別情報記憶手段を備え、
音声分析・登録手段は、音素別の特徴パラメータに対応付けて話者識別情報も音素情報記憶手段に記憶させるようにし、
転送手段は音素情報の転送要求に基づき、音素情報記憶手段から音素別の特徴パラメータと対応する話者識別情報を読み出し音素情報外部記憶手段に書き込むようにしたこと、
を特徴とする請求項４記載の電話装置。
【請求項７】
話者識別情報を記憶した話者識別情報記憶手段を備え、
転送手段は音素情報の転送要求に基づき、音素情報記憶手段に記憶された音素別の特徴パラメータと話者識別情報記憶手段に記憶された話者識別情報を読み出し対応付けて音素情報外部記憶手段に書き込むようにしたこと、
を特徴とする請求項４記載の電話装置。
【請求項８】
通話時、音声信号を回線を介して局側と送受信し、メール受信時には受信メールを受信メール情報記憶手段に記憶する電話装置において、
通話中に当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段と、
所望受信メールの音声読み上げが指示されると、受信メール情報記憶手段の中の所望受信メールを対象に、電話装置に接続された音素情報外部記憶手段中の音素別の特徴パラメータを用いて音声合成により受信メール本文を表す音声出力を行う音声合成手段と、
を備えたことを特徴とする電話装置。
【請求項９】
通話時、音声信号を回線を介して局側と送受信し、メール受信時には受信メールを受信メール情報記憶手段に記憶する電話装置において、
通話中に当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段と、
音素別の特徴パラメータを記憶する音素情報記憶手段と、
音素情報の転送要求に従い、電話装置に接続された音素情報外部記憶手段から音素別の特徴パラメータを読み出し音素情報記憶手段に記憶させる転送手段と、
所望受信メールの音声読み上げが指示されると、受信メール情報記憶手段の中の所望受信メールを対象に、音素情報記憶手段中の音素別の特徴パラメータを用いて音声合成により受信メール本文を表す音声出力を行う音声合成手段と、
を備えたことを特徴とする電話装置。
【請求項１０】
通話時、音声信号を回線を介して局側と送受信し、メール受信時には送信元識別情報と本文を含む受信メール情報を受信メール情報記憶手段に記憶する電話装置において、
話者識別情報を記憶した話者識別情報記憶手段と、
通話中に当該電話装置に入力された音声信号に基づき、音素の切り出し、音素の特徴パラメータの抽出と音素の種類の判別をし、音素別の特徴パラメータを話者識別情報記憶手段の話者識別情報と対応付けて電話装置に接続された音素情報外部記憶手段に記憶させる音声分析・登録手段と、
所望受信メールの音声読み上げが指示されると、受信メール情報記憶手段の中の所望受信メールを対象に、電話装置に接続された音素情報外部記憶手段の内、話者識別情報が所望受信メールの送信元識別情報と一致する音素別の特徴パラメータを用いて音声合成により受信メール本文を表す音声出力を行う音声合成手段と、
を備えたことを特徴とする電話装置。
【請求項１１】
通話時、音声信号を回線を介して局側と送受信し、メール受信時には送信元識別情報と本文を含む受信メール情報を受信メール情報記憶手段に記憶する電話装置において、
話者識別情報を記憶した話者識別情報記憶手段と、
通話中に当該電話装置に入力された音声信号に基づき、音素の切り出し、音素の特徴パラメータの抽出と音素の種類の判別をし、音素別の特徴パラメータを話者識別情報記憶手段の話者識別情報と対応付けて電話装置に接続された音素情報外部記憶手段に記憶させる音声分析・登録手段と、
音素別の特徴パラメータと対応する話者識別情報を記憶する音素情報記憶手段と、
音素情報の転送要求に従い、電話装置に接続された音素情報外部記憶手段から音素別の特徴パラメータと対応する話者識別情報を読み出し、音素情報記憶手段に記憶させる転送手段と、
所望受信メールの音声読み上げが指示されると、受信メール情報記憶手段の中の所望受信メールを対象に、音素情報記憶手段の内、話者識別情報が所望受信メールの送信元識別情報と一致する音素別の特徴パラメータを用いて音声合成により本文を表す音声出力を行う音声合成手段と、
を備えたことを特徴とする電話装置。
【請求項１２】
通話時、音声信号を回線を介して局側と送受信し、メール受信時には受信メール情報を受信メール情報記憶手段に記憶する電話装置において、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段から音素別の特徴パラメータを読み出し電話装置に接続された音素情報外部記憶手段に書き込む転送手段と、
所望受信メールの音声読み上げが指示されると、受信メール情報記憶手段の中の所望受信メールを対象に、電話装置に接続された音素情報外部記憶手段の音素別の特徴パラメータを用いて音声合成により本文を表す音声出力を行う音声合成手段と、
を備えたことを特徴とする電話装置。
【請求項１３】
通話時、音声信号を回線を介して局側と送受信し、メール受信時には受信メール情報を受信メール情報記憶手段に記憶する電話装置において、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の第１転送要求に基づき、音素情報記憶手段に記憶された音素別の特徴パラメータを読み出し電話装置に接続された音素情報外部記憶手段に書き込んだり、音素情報の第２転送要求に基づき、電話装置に接続された音素情報外部記憶手段から音素別の特徴パラメータを読み出し音素情報記憶手段に書き込む転送手段と、
所望受信メールの音声読み上げが指示されると、受信メール情報記憶手段の中の所望受信メールを対象に、音素情報記憶手段の音素別の特徴パラメータを用いて音声合成により本文を表す音声出力を行う音声合成手段と、
を備えたことを特徴とする電話装置。
【請求項１４】
通話時、音声信号を回線を介して局側と送受信し、メール受信時には本文と送信元識別情報を含む受信メール情報を受信メール情報記憶手段に記憶する電話装置において、
話者識別情報を記憶した話者識別情報記憶手段と、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを話者識別情報記憶手段に記憶された話者識別情報と対応付けて音素情報記憶手段に記憶させる音声分析・登録手段と、
音素情報の転送要求に基づき、音素情報記憶手段に記憶された音素別の特徴パラメータと対応する話者識別情報を読み出し電話装置に接続された音素情報外部記憶手段に書き込む転送手段と、
所望受信メールの音声読み上げが指示されると、受信メール情報記憶手段の中の所望受信メールを対象に、電話装置に接続された音素情報外部記憶手段の内、話者識別情報が所望受信メールの送信元識別情報と一致する音素別の特徴パラメータを用いて音声合成により受信メール本文を表す音声出力を行う音声合成手段と、
を備えたことを特徴とする電話装置。
【請求項１５】
通話時、音声信号を回線を介して局側と送受信し、メール受信時には本文と送信元識別情報を含む受信メール情報を受信メール情報記憶手段に記憶する電話装置において、
話者識別情報を記憶した話者識別情報記憶手段と、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータと話者識別情報記憶手段に記憶された話者識別情報を読み出し対応付けて電話装置に接続された音素情報外部記憶手段に書き込む転送手段と、
所望受信メールの音声読み上げが指示されると、受信メール情報記憶手段の中の所望受信メールを対象に、電話装置に接続された音素情報外部記憶手段の内、話者識別情報が所望受信メールの送信元識別情報と一致する音素別の特徴パラメータを用いて音声合成により受信メール本文を表す音声出力を行う音声合成手段と、
を備えたことを特徴とする電話装置。
【請求項１６】
通話時、音声信号を回線を介して局側と送受信し、メール受信時には本文と送信元識別情報を含む受信メール情報を受信メール情報記憶手段に記憶する電話装置において、
話者識別情報を記憶した話者識別情報記憶手段と、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを話者識別情報記憶手段に記憶された話者識別情報と対応付けて音素情報記憶手段に記憶させる音声分析・登録手段と、
音素情報の第１転送要求に基づき、音素情報記憶手段に記憶された音素別の特徴パラメータと話者識別情報記憶手段に記憶された話者識別情報を読み出し対応付けて電話装置に接続された音素情報外部記憶手段に書き込み、音素情報の第２転送要求に基づき、電話装置に接続された音素情報外部記憶手段に記憶された音素別の特徴パラメータと対応する話者識別情報を読み出し音素情報記憶手段に書き込む転送手段と、
所望受信メールの音声読み上げが指示されると、受信メール情報記憶手段の中の所望受信メールを対象に、音素情報記憶手段の内、話者識別情報が所望受信メールの送信元識別情報と一致する音素別の特徴パラメータを用いて音声合成により本文を表す音声出力を行う音声合成手段と、
を備えたことを特徴とする電話装置。
【請求項１７】
通話時、音声信号を回線を介して局側と送受信し、メール受信時には本文と送信元識別情報を含む受信メール情報を受信メール情報記憶手段に記憶する電話装置において、
話者識別情報を記憶した話者識別情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の第１転送要求に基づき、音素情報記憶手段に記憶された音素別の特徴パラメータと話者識別情報記憶手段に記憶された話者識別情報を読み出し、対応付けて電話装置に接続された音素情報外部記憶手段に書き込み、音素情報の第２転送要求に基づき、電話装置に接続された音素情報外部記憶手段に記憶された音素別の特徴パラメータと対応する話者識別情報を読み出し、音素情報記憶手段に書き込む転送手段と、
所望受信メールの音声読み上げが指示されると、受信メール情報記憶手段の中の所望受信メールを対象に音素情報記憶手段の内、話者識別情報が所望受信メールの送信元識別情報と一致する音素別の特徴パラメータを用いて音声合成により受信メール本文を表す音声出力を行う音声合成手段と、
を備えたことを特徴とする電話装置。
【請求項１８】
通話時、音声信号を回線を介して局側と送受信する電話装置において、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
１または複数の文字情報を記憶した文字情報記憶手段と、
所望文字情報の音声読み上げが指示されると、文字情報記憶手段の中の所望文字情報を対象に、音素情報記憶手段の音素別の特徴パラメータを用いて音声合成により文字文を表す音声出力を行う音声合成手段と、
を備えたことを特徴とする電話装置。
【請求項１９】
通話時、音声信号を回線を介して局側と送受信する電話装置において、
通話中に当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段と、
１または複数の文字情報を記憶した文字情報記憶手段と、
所望文字情報の音声読み上げが指示されると、文字情報記憶手段の中の所望文字情報を対象に、電話装置に接続された音素情報外部記憶手段中の音素別の特徴パラメータを用いて音声合成により文字情報を表す音声出力を行う音声合成手段と、
を備えたことを特徴とする電話装置。
【請求項２０】
通話時、音声信号を回線を介して局側と送受信する電話装置において、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータを読み出し、電話装置に接続された音素情報外部記憶手段に書き込む転送手段と、
１または複数の文字情報を記憶した文字情報記憶手段と、
所望文字情報の音声読み上げが指示されると、文字情報記憶手段の中の所望文字情報を対象に、電話装置に接続された音素情報外部記憶手段中の音素別の特徴パラメータを用いて音声合成により文字情報を表す音声出力を行う音声合成手段と、
を備えたことを特徴とする電話装置。
【請求項２１】
通話時、音声信号を回線を介して局側と送受信する電話装置において、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の第１転送要求に基づき、音素情報記憶手段に記憶された音素別の特徴パラメータを読み出し、電話装置に接続された音素情報外部記憶手段に書き込み、音素情報の第２転送要求に基づき、電話装置に接続された音素情報外部記憶手段に記憶された音素別の特徴パラメータを読み出し、音素情報記憶手段に書き込む転送手段と、
１または複数の文字情報を記憶した文字情報記憶手段と、
所望文字情報の音声読み上げが指示されると、文字情報記憶手段の中の所望文字情報を対象に、音素情報記憶手段中の音素別の特徴パラメータを用いて音声合成により文字情報を表す音声出力を行う音声合成手段と、
を備えたことを特徴とする電話装置。
【請求項２２】
通話時、音声信号を回線を介して局側と送受信する電話装置と、文字情報記憶手段に記憶された文字情報を、所定の記憶手段に記憶された音素別の特徴パラメータを用いて音声合成し、音声出力する音声合成装置と、を備えた音声合成システムにおいて、
電話装置は、当該電話装置に入力された音声信号に基づき、音素切り出し、音素の特徴パラメータの抽出と音素の種類の判別をし、音素別の特徴パラメータを電話装置に接続された音素情報外部記憶手段に記憶させる音声分析・登録手段を備え、
音声合成装置は、音声合成装置に接続された音素情報外部記憶手段の音素別の特徴パラメータを用いて、文字情報記憶手段に記憶された文字情報を音声合成して音声出力するようにしたこと、
を特徴とする音声合成システム。
【請求項２３】
通話時、音声信号を回線を介して局側と送受信する電話装置と、文字情報記憶手段に記憶された文字情報を、所定の記憶手段に記憶された音素別の特徴パラメータを用いて音声合成し、音声出力可能な音声合成装置とを備えた音声合成システムにおいて、
電話装置は、音素別の特徴パラメータを記憶する音素情報記憶手段と、
当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータを読み出し電話装置に接続された音素情報外部記憶手段に書き込む転送手段と、
を備え、
音声合成装置は、音声合成装置に接続された音素情報外部記憶手段の音素別の特徴パラメータを用いて、文字情報記憶手段に記憶された文字情報を音声合成して音声出力するようにしたこと、
を特徴とする音声合成システム。
【請求項２４】
通話時、音声信号を回線を介して局側と送受信する電話装置と、文字情報記憶手段に記憶された文字情報を、音素情報記憶手段に記憶された音素別の特徴パラメータを用いて音声合成し、音声出力する音声合成装置と、を備えた音声合成システムにおいて、
電話装置は、当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段を備え、
音声合成装置は、転送要求に基づき音声合成装置に接続された音素情報外部記憶手段から音素別の特徴パラメータを読み出し音素情報記憶手段に記憶させる転送手段を備えたこと、
を特徴とする音声合成システム。
【請求項２５】
通話時、音声信号を回線を介して局側と送受信する電話装置と、文字情報記憶手段に記憶された文字情報を、音素情報記憶手段に記憶された音素別の特徴パラメータを用いて音声合成し、音声出力可能な音声合成装置とを備えた音声合成システムにおいて、
電話装置は、音素別の特徴パラメータを記憶する音素情報記憶手段と、
当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータを読み出し電話装置に接続された音素情報外部記憶手段に書き込む転送手段と、
を備え、
音声合成装置は、音素情報の転送要求に基づき音声合成装置に接続された音素情報外部記憶手段から音素別の特徴パラメータを読み出し音素情報記憶手段に記憶させる転送手段を備えたこと、
を特徴とする音声合成システム。
【請求項２６】
無線基地局と移動電話装置からの電波を受信し、当該移動電話装置で通話中の音声信号を取り出す受信手段と、
受信手段で取り出された音声信号に基づき、音素の切り出し、音素の特徴パラメータの抽出と音素の種類の判別をし、音素別の特徴パラメータを音素情報外部記憶手段に記憶させる音声分析・登録手段と、
を備えたことを特徴とする音素情報登録装置。
【請求項２７】
音素情報登録モードのオン・オフ操作を行う操作手段を備えるとともに、
音声分析・登録手段は、音素情報登録モードがオン時に、音素別の特徴パラメータを音素情報外部記憶手段に記憶させるようにしたこと、
を特徴とする請求項２６記載の音素情報登録装置。
【請求項２８】
話者識別情報を記憶した話者識別情報記憶手段を備え、
音声分析・登録手段は、音素別の特徴パラメータに対応付けて話者識別情報を音素情報外部記憶手段に記憶させるようにしたこと、
を特徴とする請求項２６記載の音素情報登録装置。
【請求項２９】
無線基地局と移動電話装置からの電波を受信し、当該移動電話装置で通話中の音声信号を取り出す受信手段と、
音素別の特徴パラメータを記憶する音素情報記憶手段と、
受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段の音素別の特徴パラメータを読み出し音素情報外部記憶手段に書き込む転送手段と、
を備えたことを特徴とする音素情報登録装置。
【請求項３０】
音素情報登録モードのオン・オフ操作を行う操作手段を備えるとともに、
音声分析・登録手段は、音素情報登録モードがオン時に、音素別の特徴パラメータを音素情報記憶手段に記憶させるようにしたこと、
を特徴とする請求項２９記載の音素情報登録装置。
【請求項３１】
話者識別情報を記憶した話者識別情報記憶手段を備え、
音声分析・登録手段は、音素別の特徴パラメータに対応付けて話者識別情報を音素情報記憶手段に記憶させるようにし、
転送手段は音素情報の転送要求に基づき、音素情報記憶手段に記憶された音素別の特徴パラメータと対応する話者識別情報を読み出し音素情報外部記憶手段に書き込むようにしたこと、
を特徴とする請求項２９記載の音素情報登録装置。
【請求項３２】
話者識別情報を記憶した話者識別情報記憶手段を備え、
転送手段は音素情報の転送要求に基づき、音素情報記憶手段に記憶された音素別の特徴パラメータと話者識別情報記憶手段に記憶された話者識別情報を読み出し対応付けて音素情報外部記憶手段に書き込むようにしたこと、
を特徴とする請求項２９記載の音素情報登録装置。
【請求項３３】
無線基地局と移動電話装置からの電波を受信し、当該移動電話装置で通話中の音声信号を取り出す受信手段と、
音素別の特徴パラメータを記憶する音素情報記憶手段と、
受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、
１または複数の文字情報を記憶した文字情報記憶手段と、
所望文字情報の音声読み上げが指示されると、文字情報記憶手段の中の所望文字情報を対象に、音素情報記憶手段の音素別の特徴パラメータを用いて音声合成により文字文を表す音声出力を行う音声合成手段と、
を備えたことを特徴とする音素情報登録・音声合成装置。
【請求項３４】
無線基地局と移動電話装置からの電波を受信し、当該移動電話装置で通話中の音声信号を取り出す受信手段と、
受信手段で取り出された音声信号に基づき、音素の切り出し、音素の特徴パラメータの抽出と音素の種類の判別をし、音素別の特徴パラメータを音素情報外部記憶手段に記憶させる音声分析・登録手段と、
１または複数の文字情報を記憶した文字情報記憶手段と、
所望文字情報の音声読み上げが指示されると、文字情報記憶手段の中の所望文字情報を対象に、音素情報外部記憶手段中の音素別の特徴パラメータを用いて音声合成により文字情報を表す音声出力を行う音声合成手段と、
を備えたことを特徴とする音素情報登録・音声合成装置。
【請求項３５】
無線基地局と移動電話装置からの電波を受信し、当該移動電話装置で通話中の音声信号を取り出す受信手段と、
音素別の特徴パラメータを記憶する音素情報記憶手段と、
受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータを読み出し、音素情報外部記憶手段に書き込む転送手段と、
１または複数の文字情報を記憶した文字情報記憶手段と、
所望文字情報の音声読み上げが指示されると、文字情報記憶手段の中の所望文字情報を対象に、音素情報外部記憶手段中の音素別の特徴パラメータを用いて音声合成により文字情報を表す音声出力を行う音声合成手段と、
を備えたことを特徴とする音素情報登録・音声合成装置。
【請求項３６】
無線基地局と移動電話装置からの電波を受信し、当該移動電話装置で通話中の音声信号を取り出す受信手段と、
音素別の特徴パラメータを記憶する音素情報記憶手段と、
受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、
音素情報の第１転送要求に基づき、音素情報記憶手段に記憶された音素別の特徴パラメータを読み出し、音素情報外部記憶手段に書き込み、音素情報の第２転送要求に基づき、音素情報外部記憶手段に記憶された音素別の特徴パラメータを読み出し、音素情報記憶手段に書き込む転送手段と、
１または複数の文字情報を記憶した文字情報記憶手段と、
所望文字情報の音声読み上げが指示されると、文字情報記憶手段の中の所望文字情報を対象に、音素情報記憶手段中の音素別の特徴パラメータを用いて音声合成により文字情報を表す音声出力を行う音声合成手段と、
を備えたことを特徴とする音素情報登録・音声合成装置。
【請求項３７】
文字情報記憶手段に記憶された文字情報を、所定の記憶手段に記憶された音素別の特徴パラメータを用いて音声合成し、音声出力する音声合成装置と、音素別の特徴パラメータの登録を行う音素情報登録装置とを備えた音声合成システムにおいて、
音素情報登録装置は、無線基地局と移動電話装置からの電波を受信し、当該移動電話装置で通話中の音声信号を取り出す受信手段と、
受信手段で取り出された音声信号に基づき、音素の切り出し、音素の特徴パラメータの抽出と音素の種類の判別をし、音素別の特徴パラメータを音素情報登録装置に接続された音素情報外部記憶手段に記憶させる音声分析・登録手段と、
を備え、
音声合成装置は、音声合成装置に接続された音素情報外部記憶手段の音素別の特徴パラメータを用いて、文字情報記憶手段に記憶された文字情報を音声合成して音声出力するようにしたこと、
を特徴とする音声合成システム。
【請求項３８】
文字情報記憶手段に記憶された文字情報を、所定の記憶手段に記憶された音素別の特徴パラメータを用いて音声合成し、音声出力する音声合成装置と、音素別の特徴パラメータの登録を行う音素情報登録装置とを備えた音声合成システムにおいて、
音素情報登録装置は、無線基地局と移動電話装置からの電波を受信し、当該移動電話装置で通話中の音声信号を取り出す受信手段と、
音素別の特徴パラメータを記憶する音素情報記憶手段と、
受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータを読み出し音素情報登録装置に接続された音素情報外部記憶手段に書き込む転送手段と、
を備え、
音声合成装置は、音声合成装置に接続された音素情報外部記憶手段の音素別の特徴パラメータを用いて、文字情報記憶手段に記憶された文字情報を音声合成して音声出力するようにしたこと、
を特徴とする音声合成システム。
【請求項３９】
文字情報記憶手段に記憶された文字情報を、所定の記憶手段に記憶された音素別の特徴パラメータを用いて音声合成し、音声出力する音声合成装置と、音素別の特徴パラメータの登録を行う音素情報登録装置とを備えた音声合成システムにおいて、
音素情報登録装置は、無線基地局と移動電話装置からの電波を受信し、当該移動電話装置で通話中の音声信号を取り出す受信手段と、
受信手段で取り出された音声信号に基づき、音素の切り出し、音素の特徴パラメータの抽出と音素の種類の判別をし、音素別の特徴パラメータを音素情報登録装置に接続された音素情報外部記憶手段に記憶させる音声分析・登録手段と、
を備え、
音声合成装置は、転送要求に基づき音声合成装置に接続された音素情報外部記憶手段から音素別の特徴パラメータを読み出し音素情報記憶手段に記憶させる転送手段を備えたこと、
を特徴とする音声合成システム。
【請求項４０】
文字情報記憶手段に記憶された文字情報を、音素情報記憶手段に記憶された音素別の特徴パラメータを用いて音声合成し、音声出力する音声合成装置と、音素別の特徴パラメータの登録を行う音素情報登録装置とを備えた音声合成システムにおいて、
音素情報登録装置は、無線基地局と移動電話装置からの電波を受信し、当該移動電話装置で通話中の音声信号を取り出す受信手段と、
音素別の特徴パラメータを記憶する音素情報記憶手段と、
受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータを読み出し音素情報登録装置に接続された音素情報外部記憶手段に書き込む転送手段と、
を備え、
音声合成装置は、音素情報の転送要求に基づき音声合成装置に接続された音素情報外部記憶手段から音素別の特徴パラメータを読み出し音素情報記憶手段に記憶させる転送手段を備えたこと、
を特徴とする音声合成システム。
【手続補正２】
【補正対象書類名】明細書
【補正対象項目名】０００４
【補正方法】変更
【補正の内容】
【０００４】
【課題を解決するための手段】
請求項１に係る本発明の電話装置は、通話時、音声信号を回線を介して局側と送受信する電話装置において、通話中に当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段を備えたこと、を特徴としており、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを音素情報外部記憶手段に記憶させるようにしても良い。
請求項１の変形として、話者識別情報を記憶した話者識別情報記憶手段を装備し、音声分析・登録手段は、音素別の特徴パラメータに対応付けて話者識別情報を音素情報外部記憶手段に記憶させるようにしても良い。
【手続補正３】
【補正対象書類名】明細書
【補正対象項目名】０００５
【補正方法】変更
【補正の内容】
【０００５】
請求項４に係る本発明の他の電話装置では、音素別の特徴パラメータを記憶する音素情報記憶手段と、通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、音素情報の転送要求に基づき、音素情報記憶手段に記憶された音素別の特徴パラメータを音素情報記憶手段から読み出し電話装置に接続された音素情報外部記憶手段に書き込む転送手段と、を備えたことを特徴としており、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを音素情報記憶手段に記憶させるようにしても良い。
請求項４の変形として、話者識別情報を記憶した話者識別情報記憶手段を装備し、音声分析・登録手段は、音素別の特徴パラメータに対応付けて話者識別情報を音素情報記憶手段に記憶させるようにし、転送手段は音素情報の転送要求に基づき、音素情報記憶手段から音素別の特徴パラメータと対応する話者識別情報を読み出し音素情報外部記憶手段に書き込むようにしたり、或いは、話者識別情報を記憶した話者識別情報記憶手段を装備し、転送手段は音素情報の転送要求に基づき、音素情報記憶手段に記憶された音素別の特徴パラメータと話者識別情報記憶手段に記憶された話者識別情報を読み出し対応付けて音素情報外部記憶手段に書き込むようにして良い。
【手続補正４】
【補正対象書類名】明細書
【補正対象項目名】０００６
【補正方法】変更
【補正の内容】
【０００６】
請求項８に係る本発明の更に他の電話装置では、通話時、音声信号を回線を介して局側と送受信し、メール受信時には受信メールを受信メール情報記憶手段に記憶する電話装置において、通話中に当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段と、所望受信メールの音声読み上げが指示されると、受信メール情報記憶手段の中の所望受信メールを対象に、電話装置に接続された音素情報外部記憶手段中の音素別の特徴パラメータを用いて音声合成により受信メール本文を表す音声出力を行う音声合成手段と、を備えたことを特徴としており、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを音素情報外部記憶手段に記憶させるようにしても良い。
請求項８の変形として、音素情報外部記憶手段中の音素別の特徴パラメータを用いて音声合成する代わりに、音素別の特徴パラメータを記憶する音素情報記憶手段と、転送要求に従い、電話装置に接続された音素情報外部記憶手段から音素別の特徴パラメータを読み出し音素情報記憶手段に記憶させる転送手段を装備し、音声合成手段は、所望受信メールの音声読み上げが指示されると、受信メール情報記憶手段の中の所望受信メールを対象に、音素情報記憶手段中の音素別の特徴パラメータを用いて音声合成により受信メール本文を表す音声出力を行うようにしても良い。
【手続補正５】
【補正対象書類名】明細書
【補正対象項目名】０００７
【補正方法】変更
【補正の内容】
【０００７】
請求項１０に係る本発明の電話装置では、話者識別情報を記憶した話者識別情報記憶手段と、通話中に当該電話装置に入力された音声信号に基づき、音素の切り出し、音素の特徴パラメータの抽出と音素の種類の判別をし、音素別の特徴パラメータを話者識別情報記憶手段の話者識別情報と対応付けて電話装置に接続された音素情報外部記憶手段に記憶させる音声分析・登録手段と、所望受信メールの音声読み上げが指示されると、受信メール情報記憶手段の中の所望受信メールを対象に、電話装置に接続された音素情報外部記憶手段の内、話者識別情報が所望受信メールの送信元識別情報と一致する音素別の特徴パラメータを用いて音声合成により受信メール本文を表す音声出力を行う音声合成手段と、を備えたことを特徴としており、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを話者識別情報記憶手段の話者識別情報と対応付けて音素情報外部記憶手段に記憶させるようにしても良い。
請求項１０の変形として、音素情報外部記憶手段中の音素別の特徴パラメータを用いて音声合成する代わりに、音素別の特徴パラメータを記憶する音素情報記憶手段と、転送要求に従い、電話装置に接続された音素情報外部記憶手段から音素別の特徴パラメータと対応する話者識別情報を読み出し音素情報記憶手段に記憶させる転送手段を装備し、音声合成手段は、所望受信メールの音声読み上げが指示されると、受信メール情報記憶手段の中の所望受信メールを対象に、音素情報記憶手段の内、話者識別情報が所望受信メールの送信元識別情報と一致する音素別の特徴パラメータを用いて音声合成により受信メール本文を表す音声出力を行うようにしても良い。
【手続補正６】
【補正対象書類名】明細書
【補正対象項目名】０００８
【補正方法】変更
【補正の内容】
【０００８】
請求項１２に係る本発明の電話装置では、音素別の特徴パラメータを記憶する音素情報記憶手段と、通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、音素情報の転送要求に基づき、音素情報記憶手段から音素別の特徴パラメータを読み出し電話装置に接続された音素情報外部記憶手段に書き込む転送手段と、所望受信メールの音声読み上げが指示されると、受信メール情報記憶手段の中の所望受信メールを対象に、電話装置に接続された音素情報外部記憶手段の音素別の特徴パラメータを用いて音声合成により本文を表す音声出力を行う音声合成手段と、を備えたことを特徴としており、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを音素情報記憶手段に記憶させるようにしても良い。
音素情報外部記憶手段中の音素別の特徴パラメータを用いて音声合成する代わりに、音素情報の第１転送要求に基づき、音素情報記憶手段に記憶された音素別の特徴パラメータを読み出し電話装置に接続された音素情報外部記憶手段に書き込んだり、音素情報の第２転送要求に基づき、電話装置に接続された音素情報外部記憶手段から音素別の特徴パラメータを読み出し音素情報記憶手段に書き込む転送手段を装備し、音声合成手段は、所望受信メールの音声読み上げが指示されると、受信メール情報記憶手段の中の所望受信メールを対象に、音素情報記憶手段の音素別の特徴パラメータを用いて音声合成により本文を表す音声出力を行うようにしても良い。
請求項１２の変形として、話者識別情報を記憶した話者識別情報記憶手段を装備し、音声分析・登録手段は、音素別の特徴パラメータを話者識別情報記憶手段に記憶された話者識別情報と対応付けて音素情報記憶手段に記憶させ、転送手段は、音素情報記憶手段に記憶された音素別の特徴パラメータと対応する話者識別情報を読み出し電話装置に接続された音素情報外部記憶手段に書き込み、音声合成手段は、所望受信メールの音声読み上げが指示されると、受信メール情報記憶手段の中の所望受信メールを対象に、電話装置に接続された音素情報外部記憶手段の内、話者識別情報が所望受信メールの送信元識別情報と一致する音素別の特徴パラメータを用いて音声合成により受信メール本文を表す音声出力を行うようにしても良い。或いは、話者識別情報を記憶した話者識別情報記憶手段を装備し、音声分析・登録手段は、音素別の特徴パラメータを音素情報記憶手段に記憶させ、転送手段は、音素情報記憶手段に記憶された音素別の特徴パラメータと話者識別情報記憶手段に記憶された話者識別情報を対応付けて電話装置に接続された音素情報外部記憶手段に書き込み、音声合成手段は、所望受信メールの音声読み上げが指示されると、受信メール情報記憶手段の中の所望受信メールを対象に、電話装置に接続された音素情報外部記憶手段の内、話者識別情報が所望受信メールの送信元識別情報と一致する音素別の特徴パラメータを用いて音声合成により受信メール本文を表す音声出力を行うようにしても良い。
【手続補正７】
【補正対象書類名】明細書
【補正対象項目名】０００９
【補正方法】変更
【補正の内容】
【０００９】
請求項１６に係る本発明の電話装置では、話者識別情報を記憶した話者識別情報記憶手段と、音素別の特徴パラメータを記憶する音素情報記憶手段と、通話中に当該電話装置に入力された音声信号に基づき、音素の切り出し、音素の特徴パラメータの抽出と音素の種類の判別をし、音素別の特徴パラメータを話者識別情報記憶手段に記憶された話者識別情報と対応付けて音素情報記憶手段に記憶させる音声分析・登録手段と、音素情報の第１転送要求に基づき、音素情報記憶手段に記憶された音素別の特徴パラメータと話者識別情報記憶手段に記憶された話者識別情報を読み出し対応付けて電話装置に接続された音素情報外部記憶手段に書き込み、音素情報の第２転送要求に基づき、電話装置に接続された音素情報外部記憶手段に記憶された音素別の特徴パラメータと対応する話者識別情報を読み出し音素情報記憶手段に書き込む転送手段と、所望受信メールの音声読み上げが指示されると、受信メール情報記憶手段の中の所望受信メールを対象に、音素情報記憶手段の内、話者識別情報が所望受信メールの送信元識別情報と一致する音素別の特徴パラメータを用いて音声合成により本文を表す音声出力を行う音声合成手段と、を備えたことを特徴としており、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを話者識別情報記憶手段に記憶された話者識別情報と対応付けて音素情報記憶手段に記憶させるようにしても良い。
請求項１６の変形として、音声分析・登録手段は、音素別の特徴パラメータを音素情報記憶手段に記憶させ、転送手段は、第１転送要求に基づき、音素情報記憶手段に記憶された音素別の特徴パラメータと話者識別情報記憶手段に記憶された話者識別情報を読み出し、対応付けて電話装置に接続された音素情報外部記憶手段に書き込むようにしても良い。
【手続補正８】
【補正対象書類名】明細書
【補正対象項目名】００１０
【補正方法】変更
【補正の内容】
【００１０】
請求項１８に係る本発明の電話装置では、通話時、音声信号を回線を介して局側と送受信する電話装置において、音素別の特徴パラメータを記憶する音素情報記憶手段と、通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、１または複数のメッセージ文を記憶したメッセージ記憶手段と、所望メッセージ文の音声読み上げが指示されると、メッセージ記憶手段の中の所望メッセージ文を対象に、音素情報記憶手段の音素別の特徴パラメータを用いて音声合成によりメッセージ文を表す音声出力を行う音声合成手段と、を備えたことを特徴としており、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを音素情報記憶手段に記憶させるようにしても良い。
請求項１８の変形として、音声分析・登録手段は、音素別の特徴パラメータを電話装置に接続された音素情報外部記憶手段に記憶させ、音声合成手段は、音素情報外部記憶手段の音素別の特徴パラメータを用いて音声合成によりメッセージ文を表す音声出力を行うようにしたり、或いは、音声分析・登録手段は音素別の特徴パラメータを音素情報記憶手段に記憶させるが、転送手段が転送要求に従い、音素情報記憶手段の音素別の特徴パラメータを電話装置に接続された音素情報外部記憶手段に記憶させ、音声合成手段は、音素情報外部記憶手段の音素別の特徴パラメータを用いて音声合成によりメッセージ文を表す音声出力を行うようにしても良い。また、音声分析・登録手段は音素別の特徴パラメータを音素情報記憶手段に記憶させ、転送手段が第１転送要求に従い、音素情報記憶手段の音素別の特徴パラメータを電話装置に接続された音素情報外部記憶手段に記憶させ、第２転送要求に従い、電話装置に接続された音素情報外部記憶手段に記憶された音素別の特徴パラメータを音素情報記憶手段に記憶させ、音声合成手段は、音素情報記憶手段の音素別の特徴パラメータを用いて音声合成によりメッセージ文を表す音声出力を行うようにしても良い。
【手続補正９】
【補正対象書類名】明細書
【補正対象項目名】００１１
【補正方法】変更
【補正の内容】
【００１１】
請求項２２に係る本発明の音声合成システムでは、通話時、音声信号を回線を介して局側と送受信する電話装置と、文字情報記憶手段に記憶された文字情報を、所定の記憶手段に記憶された音素別の特徴パラメータを用いて音声合成し、音声出力する音声合成装置と、を備えた音声合成システムにおいて、電話装置は、当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段を備え、音声合成装置は、音声合成装置に接続された音素情報外部記憶手段の音素別の特徴パラメータを用いて、文字情報記憶手段に記憶された文字情報を音声合成して音声出力するようにしたこと、を特徴としており、電話装置は、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを音素情報外部記憶手段に記憶させるようにしても良い。
請求項２２の変形として、電話装置に音素別の特徴パラメータを記憶する音素情報記憶手段を装備し、音声分析・登録手段は、音素別の特徴パラメータを音素情報記憶手段に記憶させ、転送手段が音素情報の転送要求に基づき、音素情報記憶手段に記憶された音素別の特徴パラメータを読み出し電話装置に接続された音素情報外部記憶手段に書き込むようにしたり、音声合成装置に音素別の特徴パラメータを記憶する音素情報記憶手段を備え、転送手段が音素情報の転送要求に基づき、音声合成装置に接続された音素情報外部記憶手段から音素別の特徴パラメータを読み出し音素情報記憶手段に記憶させるようにしても良い。
【手続補正１０】
【補正対象書類名】明細書
【補正対象項目名】００１２
【補正方法】変更
【補正の内容】
【００１２】
請求項２６に係る本発明の音素情報登録装置では、無線基地局と移動電話装置からの電波を受信し、当該移動電話装置で通話中の音声信号を取り出す受信手段と、受信手段で取り出された音声信号に基づき、音素の切り出し、音素の特徴パラメータの抽出と音素の種類の判別をし、音素別の特徴パラメータを音素情報外部記憶手段に記憶させる音声分析・登録手段と、を備えたことを特徴としており、音素情報登録モードのオン・オフ操作を行う操作手段を備えるとともに、音声分析・登録手段は、音素情報登録モードがオン時に、音素別の特徴パラメータを音素情報外部記憶手段に記憶させるようにしても良い。
請求項２６の変形として、話者識別情報を記憶した話者識別情報記憶手段を備え、音声分析・登録手段は、音素別の特徴パラメータに対応付けて話者識別情報を音素情報外部記憶手段に記憶させるようにしても良い。
【手続補正１１】
【補正対象書類名】明細書
【補正対象項目名】００１３
【補正方法】変更
【補正の内容】
【００１３】
請求項２９に係る本発明の音素情報登録装置では、無線基地局と移動電話装置からの電波を受信し、当該移動電話装置で通話中の音声信号を取り出す受信手段と、音素別の特徴パラメータを記憶する音素情報記憶手段と、受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、音素情報の転送要求に基づき、音素情報記憶手段の音素別の特徴パラメータを読み出し音素情報外部記憶手段に書き込む転送手段と、を備えたことを特徴としており、音素情報登録モードのオン・オフ操作を行う操作手段を備えるとともに、音声分析・登録手段は、音素情報登録モードがオン時に、音素別の特徴パラメータを音素情報記憶手段に記憶させ、転送手段は音素情報の転送要求に基づき、音素情報記憶手段の音素別の特徴パラメータを読み出し音素情報外部記憶手段に書き込むようにしても良い。
請求項２６の変形として、話者識別情報を記憶した話者識別情報記憶手段を備え、音声分析・登録手段は、音素別の特徴パラメータに対応付けて話者識別情報も音素情報記憶手段に記憶させるようにし、転送手段は音素情報の転送要求に基づき、音素情報記憶手段の音素別の特徴パラメータと対応する話者識別情報を読み出し音素情報外部記憶手段に書き込むようにしても良い。或いは、話者識別情報を記憶した話者識別情報記憶手段を備え、音声分析・登録手段は、音素別の特徴パラメータを音素情報記憶手段に記憶させ、転送手段は音素情報の転送要求に基づき、音素情報記憶手段の音素別の特徴パラメータと話者識別情報記憶手段の話者識別情報を読み出し対応付けて音素情報外部記憶手段に書き込むようにしても良い。
【手続補正１２】
【補正対象書類名】明細書
【補正対象項目名】００１４
【補正方法】変更
【補正の内容】
【００１４】
請求項３３記載の音素情報登録・音声合成装置は、無線基地局と移動電話装置からの電波を受信し、当該移動電話装置で通話中の音声信号を取り出す受信手段と、音素別の特徴パラメータを記憶する音素情報記憶手段と、受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、１または複数の文字情報を記憶した文字情報記憶手段と、所望文字情報の音声読み上げが指示されると、文字情報記憶手段の中の所望文字情報を対象に、音素情報記憶手段の音素別の特徴パラメータを用いて音声合成により文字文を表す音声出力を行う音声合成手段と、を備えたことを特徴としており、音素情報登録モードのオン・オフ操作を行う操作手段を備えるとともに、音声分析・登録手段は、音素情報登録モードがオン時に、音素別の特徴パラメータを音素情報記憶手段に記憶させるようにしても良い。
請求項３３の変形として、音声分析・登録手段は音素別の特徴パラメータを音素情報外部記憶手段に記憶させ、音声合成手段は、音素情報外部記憶手段中の音素別の特徴パラメータを用いて音声合成により文字情報を表す音声出力を行うようにするか、或るいは、転送手段が音素情報の転送要求に基づき、音素情報記憶手段に記憶された音素別の特徴パラメータを読み出し、音素情報外部記憶手段に書き込み、音声合成手段は、音素情報外部記憶手段中の音素別の特徴パラメータを用いて音声合成により文字情報を表す音声出力を行うようにしても良い。また、転送手段が音素情報の第１転送要求に基づき、音素情報記憶手段に記憶された音素別の特徴パラメータを読み出し、音素情報外部記憶手段に書き込み、音素情報の第２転送要求に基づき、音素情報外部記憶手段に記憶された音素別の特徴パラメータを読み出し、音素情報記憶手段に書き込むようにしても良い。
【手続補正１３】
【補正対象書類名】明細書
【補正対象項目名】００１５
【補正方法】変更
【補正の内容】
【００１５】
請求項３７記載の音声合成システムは、文字情報記憶手段に記憶された文字情報を、所定の記憶手段に記憶された音素別の特徴パラメータを用いて音声合成し、音声出力する音声合成装置と、音素別の特徴パラメータの登録を行う音素情報登録装置とを備えた音声合成システムにおいて、音素情報登録装置は、無線基地局と移動電話装置からの電波を受信し、当該移動電話装置で通話中の音声信号を取り出す受信手段と、受信手段で取り出された音声信号に基づき、音素の切り出し、音素の特徴パラメータの抽出と音素の種類の判別をし、音素別の特徴パラメータを音素情報登録装置に接続された音素情報外部記憶手段に記憶させる音声分析・登録手段と、を備え、音声合成装置は、音声合成装置に接続された音素情報外部記憶手段の音素別の特徴パラメータを用いて、文字情報記憶手段に記憶された文字情報を音声合成して音声出力するようにしたこと、を特徴としており、音素情報登録モードのオン・オフ操作を行う操作手段を備えるとともに、音声分析・登録手段は、音素情報登録モードがオン時に、音素別の特徴パラメータを音素情報外部記憶手段に記憶させるようにしても良い。
請求項３７の変形として、音素情報登録装置に音素別の特徴パラメータを記憶する音素情報記憶手段を装備し、音声分析・登録手段は、受信手段で取り出された音声信号に基づき、音素の切り出し、音素の特徴パラメータの抽出と音素の種類の判別をし、音素別の特徴パラメータを音素情報記憶手段に記憶させ、転送手段が音素情報の転送要求に基づき、音素情報記憶手段に記憶された音素別の特徴パラメータを読み出し音素情報登録装置に接続された音素情報外部記憶手段に書き込むようにしても良い。或いは、音声合成装置に音素別の特徴パラメータを記憶する音素情報記憶手段を装備し、転送手段が音素情報の転送要求に基づき、音声合成装置に接続された音素情報外部記憶手段から音素別の特徴パラメータを読み出し音素情報記憶手段に書き込むようにしても良い。または、音素情報登録装置に音素別の特徴パラメータを記憶する音素情報記憶手段を装備し、音声分析・登録手段は、受信手段で取り出された音声信号に基づき、音素の切り出し、音素の特徴パラメータの抽出と音素の種類の判別をし、音素別の特徴パラメータを音素情報記憶手段に記憶させ、転送手段が音素情報の転送要求に基づき、音素情報記憶手段に記憶された音素別の特徴パラメータを読み出し音素情報登録装置に接続された音素情報外部記憶手段に書き込むようにし、かつ、音声合成装置に音素別の特徴パラメータを記憶する音素情報記憶手段を装備し、転送手段が音素情報の転送要求に基づき、音声合成装置に接続された音素情報外部記憶手段から音素別の特徴パラメータを読み出し音素情報記憶手段に書き込むようにしても良い。
【手続補正１４】
【補正対象書類名】明細書
【補正対象項目名】００８９
【補正方法】変更
【補正の内容】
【００８９】
【発明の効果】
本発明によれば、ユーザが電話で通話をしている間に、当該電話（または音素情報登録装置或いは音素情報登録・音声合成装置）により、ユーザの音声信号に基づき音素別の特徴パラメータが分析され、当該電話（または音素情報登録装置或いは音素情報登録・音声合成装置）に装備された音素情報記憶手段または、当該電話（または音素情報登録装置或いは音素情報登録・音声合成装置）に接続された音素情報外部記憶手段に自動的に記憶される。このため、ユーザは音素情報の登録のために何ら特別な作業をしなくても、自身の声の音素別の特徴パラメータを登録させることができ、当該電話（または音素情報登録装置或いは音素情報登録・音声合成装置）が音声合成機能を有するとき、音素情報記憶手段または音素情報外部記憶手段に記憶されたユーザの音素情報に基づきメッセージ文等の所望の文字情報を、音声合成によりユーザの音声で読み上げさせることも簡単にできる。
【手続補正１５】
【補正対象書類名】明細書
【補正対象項目名】００９０
【補正方法】変更
【補正の内容】
【００９０】
電話（または音素情報登録装置或いは音素情報登録・音声合成装置）に装備された音素情報記憶手段に登録された音素別の特徴パラメータを、後から音素情報外部記憶手段に転送することもでき、他のユーザの音素別の特徴パラメータが記憶された音素情報外部記憶手段を音声合成機能を有する電話または音声合成装置に接続し、音素情報外部記憶手段に記憶された当該他のユーザの音素別の特徴パラメータをそのまま用いるか、または、音声合成機能を有する電話または音声合成装置に装備された音素情報記憶手段に音素情報外部記憶手段から当該他のユーザの音素別の特徴パラメータを転送することで、メール、メッセージ文等の所望の文字情報を、音声合成により当該他のユーザの音声で読み上げさせることも簡単にできる。